(57)【要約】      （修正有）【課題】ＬＣＤにインジケータを表示して映像の明るさ調整や呼出音、受話音の音量調整の操作性を向上させたテレビドアホン装置を提供する。【解決手段】居室親機は、カメラ付き玄関子機で撮像された映像を出画するためのモニタと、カメラ付き玄関子機からの呼出時及び通話時において使用するマイク及びスピーカと、モニタに出画される映像の範囲を上下左右に移動させるためのパンチルトボタンと、呼出時及び／又は通話時の映像の明るさ、呼出音及び／又は受話音の音量を適切にするための調整ボタンと、調整ボタンの操作により呼出時及び／又は通話時にモニタに表示される映像の明るさ調整、呼出音及び／又は受話音の音量調整のための縦インジケータ、横インジケータをそれぞれ表示し、パンチルトボタンの操作により縦インジケータ及び横インジケータによる調整の制御をおこなう親機ＣＰＵと、を有するテレビドアホン装置。【選択図】図２
2010177994.tif 000002
【特許請求の範囲】
【請求項１】
来訪者が居住者を呼び出して通話するためのカメラ付き玄関子機と、前記カメラ付き玄関子機に接続され、来訪者の呼び出しに応答して通話するための居室親機とから構成されるテレビドアホン装置であって、
前記居室親機は、前記カメラ付き玄関子機で撮像された映像を出画するためのモニタと、前記カメラ付き玄関子機からの呼出時及び通話時において使用するマイク及びスピーカと、前記モニタに出画される映像の範囲を上下左右に移動させるためのパンチルトボタンと、呼出時及び／又は通話時の映像の明るさ、呼出音及び／又は受話音の音量を適切にするための調整ボタンと、前記調整ボタンの操作により呼出時及び／又は通話時に前記モニタに表示される映像の明るさ調整、呼出音及び／又は受話音の音量調整のためのインジケータを縦又は横のインジケータとして表示し、前記パンチルトボタンの操作により前記インジケータによる調整の制御をおこなう親機ＣＰＵと、を有することを特徴とするテレビドアホン装置。
【請求項２】
前記親機ＣＰＵは、前記映像をズーム又はワイドするズームワイドボタンや、電気錠解錠ボタン等の他の機能ボタンを具備した場合において、前記インジケータによる調整中には前記他の機能ボタンの操作を無効とする制御をおこなうことを特徴とする請求項１記載のテレビドアホン装置。
【請求項３】
前記親機ＣＰＵは、前記モニタに表示される前記インジケータの両端に、対応するパンチルトボタンに表示された操作方向表示と同一の表示をおこなうよう制御することを特徴とする請求項１又は請求項２記載のテレビドアホン。
【請求項４】
前記親機ＣＰＵは、前記インジケータが調節限界を表示したときには、前記対応するパンチルトボタンに表示された操作方向表示と同一の表示をおこなわないよう制御することを特徴とする請求項３のテレビドアホン。
【請求項５】
前記親機ＣＰＵは、前記調整ボタンの押下ごとに調整項目の選択の制御をおこなうことを特徴とする請求項１乃至請求項４何れか１項記載のテレビドアホン装置。
【発明の詳細な説明】
【技術分野】
【０００１】
本発明は、テレビドアホン装置に係り、特に映像の明るさ調整や呼出音、受話音の音量調整の操作性を向上させたテレビドアホン装置に関する。
【背景技術】
【０００２】
従来のテレビドアホン装置として図４の構成が知られている。
玄関子機からの呼出により居室親機２０１はＬＣＤ２１１を制御し、玄関子機で撮像した映像を出画すると共に、玄関子機で集音した音声をスピーカ２１３より出力する。
【０００３】
この際、昼夜や天候によりＬＣＤ２１１に出画された映像がみにくい場合には、これを見やすくするため、ボリューム２２２を操作することにより映像の明暗の調節を可能としていた。
また、訪問者の受話音量（受話音量）の大小により親機２０１で出力される音量を受話音量ボリューム２２３により受話音量の大小を調節可能としていた。
このようにして、居住者はＬＣＤ２１１で訪問者を確認しながらマイク２０２、スピーカ２１３で良好な通話を可能としていた（例えば非特許文献１）。
【０００４】
【非特許文献１】アイホン２００８−２００９総合カタログＰ１４
【発明の開示】
【発明が解決しようとする課題】
【０００５】
しかしながら、従来例のテレビドアホン装置においては、明るさボリューム、受話音量ボリュームは、意匠や部品実装の都合より親機側面に配置されることが多く、居室親機の右側に操作できるような空間が必要となり、親機の設置位置の自由度を下げる大きな要因となっていた。
また、操作をする上で調節可能な上限下限が判り難く、操作しないと既に上限、下限であることが判りにくかった。
【０００６】
本発明は、上述の難点を解消するためになされたもので、ＬＣＤにインジケータを表示して映像の明るさ調整や呼出音、受話音の音量調整の操作性を向上させたテレビドアホン装置を提供することを目的とする。
【課題を解決するための手段】
【０００７】
上記課題を解決するために本発明によるテレビドアホン装置は、来訪者が居住者を呼び出して通話するためのカメラ付き玄関子機と、カメラ付き玄関子機に接続され、来訪者の呼び出しに応答して通話するための居室親機とから構成されるテレビドアホン装置であって、居室親機は、カメラ付き玄関子機で撮像された映像を出画するためのモニタと、カメラ付き玄関子機からの呼出時及び通話時において使用するマイク及びスピーカと、モニタに出画される映像の範囲を上下左右に移動させるためのパンチルトボタンと、呼出時及び／又は通話時の映像の明るさ、呼出音及び／又は受話音の音量を適切にするための調整ボタンと、調整ボタンの操作により呼出時及び／又は通話時にモニタに表示される映像の明るさ調整、呼出音及び／又は受話音の音量調整のための縦インジケータ、横インジケータをそれぞれ表示し、パンチルトボタンの操作により縦インジケータ及び横インジケータによる調整の制御をおこなう親機ＣＰＵと、を有することを特徴とする。
【０００８】
また、本発明によるテレビドアホン装置は、請求項１において、親機ＣＰＵは、映像をズーム又はワイドするズームワイドボタンや、電気錠解錠ボタン等の他の機能ボタンを具備した場合において、インジケータによる調整中には他の機能ボタンの操作を無効とする制御をおこなうことを特徴とする。
【０００９】
また、本発明によるテレビドアホン装置は、請求項１又は請求項２において、親機ＣＰＵは、モニタに表示されるインジケータの両端に、対応するパンチルトボタンに表示された操作方向表示と同一の表示をおこなうよう制御することを特徴とする。
【００１０】
また、本発明によるテレビドアホン装置は、請求項３において、インジケータが調節限界を表示したときには、対応するパンチルトボタンに表示された操作方向表示と同一の表示をおこなわないよう制御することを特徴とする。
【００１１】
また、本発明によるテレビドアホン装置は、請求項１乃至請求項４何れかにおいて、親機ＣＰＵは、調整ボタンの押下ごとに調整項目の選択の制御をおこなうことを特徴とする。
【発明の効果】
【００１２】
本発明の請求項１のテレビドアホン装置によれば、縦及び横のインジケータが表示され、さらに上下左右のボタン操作が可能なパンチルトボタンを用いることにより、同時に調整が可能となるとともに、インジケータ表示によって調整度合いが視覚的に確認することができる。
【００１３】
請求項２のテレビドアホン装置によれば、インジケータによる調整中において、他の機能ボタンが操作されても無効と判断するので押し間違いによる誤操作を防止することが可能となる。
【００１４】
請求項３のテレビドアホン装置によれば、インジケータの両端にどのボタンを操作すればいいかがわかるので使用者にとって使い勝手がよい。
【００１５】
請求項４のテレビドアホン装置によれば、インジケータが調整限界を示したときにはこれ以上調整が不可能であるためボタンの方向表示をなくすことで使用者にわかりやすくすることができる。
【００１６】
請求項５のテレビドアホン装置によれば、調整ボタンの操作により、順次調整項目を変更することができるので、部品点数を削減できるし、一つずつ調整が可能なので使用者にとってもわかりやすい。
【発明を実施するための最良の形態】
【００１７】
以下、本発明のテレビドアホン装置を適用した最良の実施の形態例について、図面を参照して説明する。
図１は、本発明の実施例によるテレビドアホン装置の居室親機の外観図である。また、図２（ａ）（ｂ）は、居室親機のＬＣＤ画面例であり、図３は居室親機のブロック図である。
【００１８】
図１に示すように、居室親機１は、モニタ（ＬＣＤ）１１、マイク１２、スピーカ１３、逆光補正等をおこなうみやすさボタン１４、映像をズーム、ワイドするズームワイドボタン１５、パンチルトボタン１６（１６ａ、１６ｂ、１６ｃ、１６ｄ）、調整ボタン１７を有している。
【００１９】
また、図３に示すように、LCD制御部１８、マイクアンプ１９、スピーカアンプ２０、呼出音発生部２１、通話ＩＦ２２、映像ＩＦ２３、データＩＦ２４、親機ＩＦ２５、親機ＣＰＵ２６を有している。
【００２０】
このように構成されたテレビドアホン装置について、以下、動作を説明する。
なお、通常の呼出、通話に関する動作については、説明を省略し、モニタに出画される映像の明るさ調整及び、呼出時、通話時の音量調整について詳述する。
来訪者がカメラ付き玄関子機２から居住者を呼び出すために呼出操作をおこなうと、呼出信号が親機ＩＦ２５、データＩＦ２４を介して親機ＣＰＵ２６に入力され呼び出しがあったことを検出する。親機ＣＰＵ２６は、呼出音発生部２１を制御してスピーカアンプ２０を介してスピーカ１３から呼出音を報音する。また、これと同時に、カメラ付き玄関子機２のカメラを動作させるために電源を供給し、これによりカメラで撮像された映像が、親機ＩＦ２５、映像ＩＦ２３、ＬＣＤ制御部１８を介してＬＣＤ１１に出画される。
【００２１】
このとき、呼出時及び／又は通話時の映像の明るさ、呼出音及び／又は受話音の音量を適切にするために調整ボタン１７を押下すると、図２（ａ）に示すように親機ＣＰＵ２６は、ＬＣＤ制御部１８を制御してＬＣＤ１１に映像の明るさ調整インジケータ１１０を表示させる。
【００２２】
この状態において、インジケータ１１０には明るさ調整を示すアイコン１１０ａが表示されている。また、当該インジケータの両端に、対応するパンチルトボタン１６の方向表示１１０ｂを表示することにより、どのボタンを操作すればよいかを視覚的に確認することができるようになっている。
【００２３】
よって、パンチルトボタン１６のうち１６ａ、１６ｂを操作することにより、明るさ調整をおこなうことが可能となる。
なお、調整をしているときにズームワイドボタン１５等の他の機能ボタンを操作しても親機ＣＰＵ２６がこれを無効と判断して動作しないよう制御する。
これにより、誤操作を防止することが可能となる。
また、親機ＣＰＵ２６は、インジケータ１１０が調節限界を表示したときには、対応するパンチルトボタンの方向表示をおこなわないよう制御する。
これにより、使用者は調整限界を確認することができるので操作がしやすくなる。
【００２４】
次に、再度調整ボタン１７を操作すると、図２（ｂ）に示すようにインジケータ１１０が呼出音及び／又は受話音の音量調整のためのインジケータ１１１に切り替わる。これにより、明るさ調整と同様の方法で音量の調整をおこなうことが可能となる。なお、明るさ調整時と同様に、アイコン１１１ａ及び方向表示１１１ｂが表示される。
【００２５】
なお、ここでは２種の調節対象を明るさ調節と音量調整とし、インジケータ近傍の調節項目の表示としてアイコンを用いたが言語による表示でも良く、また調節対象をＬＣＤ出画中に使用する他の調節対象でも良い。
上記実施例では呼出に伴う動作例で説明したが、例えばモニタ時や録画再生時におけるＬＣＤ明るさ調節も同様におこなうことが可能である。
【図面の簡単な説明】
【００２６】
【図１】本発明によるテレビドアホン装置のうち居室親機の外観を示す図である。
【図２】本発明によるテレビドアホン装置のうち居室親機のＬＣＤ画面例を示す図である。
【図３】本発明によるテレビドアホン装置のブロック図を示す図である。
【図４】従来のテレビドアホン装置のうち居室親機の外観を示す図である。
【符号の説明】
【００２７】
１・・・居室親機
１１・・・モニタ（ＬＣＤ）
１２・・・マイク
１３・・・スピーカ
１６・・・パンチルトボタン
２６・・・親機ＣＰＵ
１１０・・・インジケータ
１１１・・・インジケータ
２・・・カメラ付き玄関子機
【図１】
2010177994.tif 000003
【図２】
2010177994.tif 000004
【図３】
2010177994.tif 000005
【図４】
2010177994.tif 000006